(57)【特許請求の範囲】
【請求項１】
建屋側壁に近接されると共に、建屋天井壁に所定の間隔を隔てて建屋側壁及び天井壁に沿って設けられる低濃度の放射性流体を移送するための流体移送配管の遮蔽構造において、
上記建屋側壁に基端部が固定されると共に、上記流体移送配管の下方に所定の間隔を隔てて延出され、且つ先端部が流体移送配管に所定の間隔を隔てて囲繞するように湾曲させて遮蔽壁を構成し、
上記遮蔽壁と流体移送配管との間隔が、作業領域を形成し、
上記遮蔽壁が、上記建屋側壁に基端部が接合されて上記流体移送配管の下方に水平方向に延出された水平サポートと、該水平サポートに支持されて上記流体移送配管を囲繞するように形成された湾曲板とから構成され、
上記湾曲板が、上記流体移送配管の下方で延出された平面部と、上記平面部につなげて上記流体移送配管を囲繞するように湾曲して形成された湾曲部と、上記湾曲部につなげて鉛直上方に延出された垂直部とから構成され、
上記湾曲板は、上記平面部が上記水平サポートに溶接により支持されることを特徴とする低濃度の放射性流体を移送するための流体移送配管の遮蔽構造。
【発明の詳細な説明】
【技術分野】
【０００１】
本発明は、比較的低濃度の放射性流体を移送するための流体移送配管の遮蔽構造に関する。
【背景技術】
【０００２】
原子力発電所では、液体、固体、気体の廃棄物が発生する。その処理は、廃棄物処理の専用設備を収容する廃棄物処理建屋に設置された収集タンクや凝縮装置などで行われる。
【０００３】
原子炉周りやタービン周りで発生するこれらの放射性廃棄物は、必ず発生場所から専用処理設備まで配管で移送される。この配管が通過する場所の条件により、配管内の放射性廃棄物から生じる放射線から防護のために配管の外面に鉛板を巻き、周囲に対して放射線を遮るようにしている。
【０００４】
鉛板は、配管の外周に沿って２つ割り又は３〜４つ割りに予め工場側で配管寸法に合わせた加工をして、配管設置場所で合わせ組み立てる。合わせ面ははんだ等で溶かし合わせ接合している。
【０００５】
一般に、このように放射性物質を含む放射性流体を移送する流体移送配管は、建屋内での通路や低線量率エリアや補機室を通過させる必要がある。この場合には、この流体移送配管に沿ってその外周に連続状に鉛板を巻き放射線を遮るようにしている。
【０００６】
他方、比較的低濃度な放射性流体を移送する流体移送配管の場合にあっては、被曝するおそれがないと判断され、時には遮蔽する必要がないとして遮蔽壁等を設置しないことがある。
【０００７】
なお、この出願の発明に関連する先行技術文献情報としては、次のものがある。
【０００８】
【特許文献１】特開昭５８−２１１６９７号公報
【発明の開示】
【発明が解決しようとする課題】
【０００９】
ところで、低濃度な放射性流体であっても、永年に亘って配管内を流れることにより微少な塵等が配管内に堆積し、その堆積した箇所から放射線が漏洩することが予想される。これを予め防ぐために、最近この種の流体移送配管に沿って遮蔽壁を設置することが提案されるに至っている。流体移送配管に沿って遮蔽壁を設置する従来例のように、既設の流体移送配管に直接被曝させるよう遮蔽被曝層を形成することが提案されるが、流体移送配管に直接遮蔽被曝層を形成することは流体移送配管の支持装置との取り合いの問題があり、不可能に近い。
【００１０】
そこで、本発明者は、この種の流体移送配管が建屋の側壁と天井壁とによって区画形成されたコーナー部に沿って吊り具等によって支持されていることから、この建屋の側壁と天井壁とを有効利用することにより本発明を創作するに至ったものである。
【００１１】
そこで、本発明の目的は、建屋の側壁と天井壁とによって区画形成されるコーナー部に沿って設けられた既設の比較的低濃度の放射性流体を移送する流体移送配管に、構造が簡単で作業性を可及的に低減させて創設することができ、且つ流体移送配管における被曝を未然に防止することができる放射性流体を移送する流体移送配管の遮蔽構造を提供することにある。
【課題を解決するための手段】
【００１２】
本発明は上記目的を達成するために創案されたものであり、建屋側壁に近接されると共に、建屋天井壁に所定の間隔を隔てて建屋側壁及び天井壁に沿って設けられる低濃度の放射性流体を移送するための流体移送配管の遮蔽構造において、上記建屋側壁に基端部が固定されると共に、上記流体移送配管の下方に所定の間隔を隔てて延出され、且つ先端部が流体移送配管に所定の間隔を隔てて囲繞するように湾曲させて遮蔽壁を構成し、上記遮蔽壁と流体移送配管との間隔が、作業領域を形成し、上記遮蔽壁が、上記建屋側壁に基端部が接合されて上記流体移送配管の下方に水平方向に延出された水平サポートと、該水平サポートに支持されて上記流体移送配管を囲繞するように形成された湾曲板とから構成され、上記湾曲板が、上記流体移送配管の下方で延出された平面部と、上記平面部につなげて上記流体移送配管を囲繞するように湾曲して形成された湾曲部と、上記湾曲部につなげて鉛直上方に延出された垂直部とから構成され、上記湾曲板は、上記平面部が上記水平サポートに溶接により支持される低濃度の放射性流体を移送するための流体移送配管の遮蔽構造である。
【発明の効果】
【００１５】
本発明の低濃度の放射性流体を移送するための流体移送配管の遮蔽構造によれば、既設のこの種の流体移送配管に簡単な構造に遮蔽壁を設けることができると共に既設の建屋側壁及び建屋天井壁を遮蔽壁として有効に利用することができ、流体移送配管下の被曝を可及的に低減することが図れる。
【発明を実施するための最良の形態】
【００１６】
以下、本発明の好適な実施形態を添付図面にしたがって説明する。
【００１７】
まず、本実施形態に係る比較的低濃度の放射性流体を移送するための流体移送配管の遮蔽構造は図１に示され、放射性流体を移送するための流体移送配管１は、建屋側壁３に近接されると共に、建屋天井壁６に所定の間隔を隔てて建屋側壁３及び建屋天井壁６によって区画されたコーナー部１１に沿って設けられる。
【００１８】
建屋側壁３及び建屋天井壁６は放射線を遮蔽するためのコンクリート壁等の遮蔽壁によって構成されている。また、流体移送配管１は建屋側壁３あるいは建屋天井壁６に図示されない吊り具あるいは支持アームによって支持されている。
【００１９】
比較的低濃度の放射性流体が、永年に亘って流体移送配管１を移送されることにより、流体移送配管１内部には、微少な塵等が配管内に堆積されることになる。
【００２０】
本実施形態では、永年経過により流体移送配管１内に塵等が堆積したことが確認あるいは予想された時に、放射線の流出を未然に防止すべく本発明に係る遮蔽構造２を設けたものである。
【００２１】
図１に示すように、本実施形態の基本構造である遮蔽壁１０は、その基端部１２が建屋側壁３に固定され、流体移送配管１の下方に所定の間隔ｓを隔てて延出され、先端部１３が流体移送配管１の間隔ｓを隔てて囲繞するように湾曲されて形成される。
【００２２】
具体的には図示するように、遮蔽壁１０は、建屋側壁３に基端部１２が固定されて取り付けられ、流体移送配管１の下方に水平方向に延出された水平サポート４と、この水平サポート４上に支持されて流体移送配管１下部に沿って水平方向に延出されると共に流体移送配管１の側部、即ち水平サポート４より上方に延出されるべく建屋天井壁６に所定の間隔を隔てて上記流体移送配管１の下部と側部を囲繞する湾曲板５とから主に構成されている。
【００２３】
水平サポート４は、流体移送配管１の長手方向に沿って所定の間隔を隔てて建屋側壁３にそれぞれ基端部が接合されて延出している。
【００２４】
他方、湾曲板５は、スチール等の重金属材からなる放射遮蔽材によって成型され、流体移送配管１の下方に所定の間隔ｓを隔てて延出された平面部１４と、平面部１４につなげて流体移送配管１を囲繞するように９０°湾曲して形成された湾曲部１５と、湾曲部１５につなげて鉛直上方に延出され流体移送配管１に所定の間隔ｓを隔てて形成された垂直部１６とから構成される。
【００２５】
また、この湾曲板５は流体移送配管１の長手方向に沿って連続して形成される断面略Ｌ字状の半筒体によって構成されている。
【００２６】
湾曲板５と流体移送配管１との間隔ｓには、流体移送配管１の点検などのメンテナンスを行うための作業領域Ｒが形成される。また、湾曲板５は、その平面部１４が水平サポート４に溶接（溶接部８）により支持される。
【００２７】
図２に示すように、本実施形態に係る湾曲板５は、一枚のスチール板によって一定の曲率をもって一体的に構成され、複数に分割された湾曲板５を流体移送配管１に沿って、溶接接合されて構成される。即ち、図３に示すように、流体移送配管１の長さに合わせ複数に分割された湾曲板片１８を流体移送配管１の長手方向と平行に互いに溶接して連続した湾曲板５が形成される。
【００２８】
次に、本実施形態に係る流体移送配管の遮蔽構造の作用を説明する。
【００２９】
低濃度の放射性流体を移送するために建屋側壁３と建屋天井壁６とによって区画形成された領域内に配設された流体移送配管１に、本発明に係る遮蔽壁１０を設けることにより、建屋側壁３と建屋天井壁６と本発明に係る遮蔽壁１０とによって流体移送配管１の周囲を囲繞することができ、特に流体移送配管１下の放射線の被曝を未然に防止することができる。従って、流体移送配管１にこの全外周に沿って新たな遮蔽層で被覆することを要することがない。また、流体移送配管１に、所定の間隔を隔てて、且つ建屋側壁３にその一端部を支持させるのみで遮蔽壁１０を配設することができ、且つ構造簡単に取り付けることができる。また、既設の流体移送配管１に何等かの加工を加えることなく遮蔽壁１０を取り付けることができ、その作業も容易に行える。
【図面の簡単な説明】
【００３０】
【図１】本発明の実施形態を示す流体移送配管の遮蔽構造の横断面図である。
【図２】本発明の実施形態を示す流体移送配管の遮蔽構造の平面図である。
【図３】本発明の実施形態を示す流体移送配管の遮蔽構造の斜視図である。
【符号の説明】
【００３１】
１  流体移送配管
２  遮蔽構造
３  建屋側壁
６  建屋天井壁
１０  遮蔽壁
１２  基端部
１３  先端部
ｓ  間隔
【図１】
0005315723.tif 000002
【図２】
0005315723.tif 000003
【図３】
0005315723.tif 000004